(57)【特許請求の範囲】
【請求項１】
天板を複数の脚に支持させてなるものにおいて、
天板の下面に、脚に依存しない態様で、オプション取付部を有する天板補強部材を取り付けてなり、
天板補強部材が、上壁から垂れ下がる一対の起立壁を対面させた下向きコ字形のチャネル部分を含み、その起立壁の対応位置にオプション取付部を形成して、各オプション取付部にオプション部材の荷重を支持させ、若くは両オプション取付部に亘ってオプション部材の荷重を分散させて支持させ得るようにしているとともに、
オプション部材が、天板補強部材のチャネル部分に嵌まり合うコ字形のチャネル部分を含み、そのチャネル部分を形成する起立壁を天板補強部材の起立壁に重合させて取り付けるようにしていることを特徴とする天板付き家具。
【請求項２】
脚が、天板を介してのみ相互に連結されていることを特徴とする請求項１記載の天板付き家具。
【請求項３】
天板補強部材の取付位置が、天板の中央部の下面に設定されていることを特徴とする請求項１又は２記載の天板付き家具。
【請求項４】
オプション取付部が起立壁に設けた貫通孔であり、オプション部材がその貫通孔に合致する貫通孔若しくはその貫通孔に通過される貫通部を備えていることを特徴とする請求項１、２又は３記載の天板付き家具。
【請求項５】
オプション取付部に種類の異なる複数のオプション部材を選択的に取り付け得るようにしていることを特徴とする請求項１、２、３又は４記載の天板付き家具。
【請求項６】
オプション取付部に種類の異なる複数のオプション部材を同時に取り付け得るようにしていることを特徴とする請求項１、２、３、４又は５記載の天板付き家具。
【請求項７】
天板を複数の脚に支持させてなるものにおいて、
天板の下面に、脚に依存しない態様で、オプション取付部を有する部材を取り付けてなり、
部材が、上壁から垂れ下がる一対の起立壁を対面させた下向きコ字形のチャネル部分を含み、その起立壁の対応位置にオプション取付部を形成して、各オプション取付部にオプション部材の荷重を支持させ、若くは両オプション取付部に亘ってオプション部材の荷重を分散させて支持させ得るようにしているとともに、
オプション部材が、天板補強部材のチャネル部分に嵌まり合うコ字形のチャネル部分を含み、そのチャネル部分を形成する起立壁を天板補強部材の起立壁に重合させて取り付けるようにしていることを特徴とする天板付き家具。
【請求項８】
脚が、天板を介してのみ相互に連結されていることを特徴とする請求項７記載の天板付き家具。
【請求項９】
部材の取付位置が、天板の中央部の下面に設定されていることを特徴とする請求項７又は８記載の天板付き家具。
【発明の詳細な説明】
【０００１】
【発明の属する技術分野】
本発明は、天板形状等に依存することなく、オプション部材を一貫した態様の下に有効に取り付けできるようにした天板付き家具に関するものである。
【０００２】
【従来の技術】
天板付き家具の一つとして、天板を脚に支持させてなるテーブルがある。このようなテーブルも、近時のＯＡ化の進展に伴って、配線受け具やテーブルトップパネルなどの各種オプション部材を取り付ける必要性が生じている。
【０００３】
このような状況から、近時のテーブルは、脚間を連結する架材にオプション部材を取り付けたり、脚自体にオプション部材を取り付け可能な構造を採用したもの等が考えられている。ここに言う架材は、脚同士を連結する位置に架け渡され、脚の配置と密接に関わって、上載荷重による天板の撓みを防止する役割を果たしているものである。
【０００４】
【発明が解決しようとする課題】
ところが、このような構造では、複数の規格のテーブル間で一貫したオプション取付構造を採用できないという不都合がある。すなわち、天板の形状や寸法が別製になると、それに応じて脚若しくは架材の取付位置や組立方法も異なったものになり、オプション部材の取付構造もそれに従属して設計し直す必要がある。したがって、オプション取付構造を共通化しようとすれば天板の形状や寸法に制約が増え、天板の規格の多様化を優先すればオプション取付位置などに制約が多くなるというジレンマを抱えるものとなっている。
【０００５】
【課題を解決するための手段】
本発明は、上記の不具合を解消するために、次のような構成を採用したものである。
【０００６】
すなわち、本発明の天板付き家具は、天板を複数の脚に支持させてなるものにおいて、天板の下面に、脚に依存しない態様で、オプション取付部を有する天板補強部材を取り付けてなり、天板補強部材が、上壁から垂れ下がる一対の起立壁を対面させた下向きコ字形のチャネル部分を含み、その起立壁の対応位置にオプション取付部を形成して、各オプション取付部にオプション部材の荷重を支持させ、若くは両オプション取付部に亘ってオプション部材の荷重を分散させて支持させ得るようにしているとともに、オプション部材が、天板補強部材のチャネル部分に嵌まり合うコ字形のチャネル部分を含み、そのチャネル部分を形成する起立壁を天板補強部材の起立壁に重合させて取り付けるようにしたものである。
【０００７】
このような構成は、天板の強度確保を必ずしも架材に依存するものではないため、脚や架材の位置とは独立して無関係に、オプション取付部を有する天板補強部材の天板に対する適切な配置を決定することができる。
【０００８】
したがって、天板が別製になり、脚の取付位置や組立方法が異なるものになっても、オプション取付構造を変更することが基本的に不要となり、天板の形状や寸法なども、オプション部材の取り付けに制約されることなく自由に行うことが可能になる。
【０００９】
しかも、脚が天板補強の役割から解放されるため、天板支持機能を発揮できる範囲内において、天板形状やオプション機能に応じて脚に適切な取付態様を選択することが可能になる。
【００１０】
さらに、オプション部材が、天板補強部材のチャネル部分に嵌まり合うコ字形のチャネル部分を含み、そのチャネル部分を形成する起立壁を天板補強部材の起立壁に重合させて取り付けるようにしているので、取付状態を確実なものにすることができる。
【００１１】
特に、脚を天板を介してのみ相互に連結し、脚自体を相互に独立とした場合には、脚の配置上の自由度が格段に向上するため、脚のより適切な支持構造を追求できるようになる。
【００１２】
テーブル各辺においてオプション取付部を利用し易いものにするためには、天板補強部材の取付位置を、天板の中央部の下面に設定しておくことが好ましい。
【００１３】
構造簡素なものとしては、オプション取付部が起立壁に設けた貫通孔であり、オプション部材がその貫通孔に合致する貫通孔若しくはその貫通孔に通過される貫通部を備えているものが挙げられる。
【００１４】
オプション取付機能を高めるためには、オプション取付部に種類の異なる複数のオプション部材を選択的に取り付け得るようにしているものや、オプション取付部に種類の異なる複数のオプション部材を同時に取り付け得るようにしているものが好ましい。
【００１５】
なお、天板の補強が問題にならない場合には、天板補強部材に代えて何らかの部材を採用もしくは利用し、この部材を通じて上記に準じた構成を実現すればよい。
【００１６】
【発明の実施の形態】
以下、本発明の一実施形態を、図面を参照して説明する。
【００１７】
図１及び図２は、本実施形態の天板付き家具であるテーブルＴを示している。このテーブルＴは、天板１と、この天板１を支持する脚２とを備えたもので、天板１の下面１ｂであって脚２と干渉しない位置に、オプション取付部３１を有する天板補強部材３を取り付けている。
【００１８】
天板１は、この実施形態では矩形状のもので、四隅近傍の下面を４本の脚２によって支持されている。
【００１９】
脚２は、アルミ押し出し成形により一体に作られたもので、上端に板材が溶接等により固定して設けてあり、この板材を天板１の下面１ｂに重合させ、下方からねじ止めすることによって、天板１に取り付けられている。この脚２は、床から立ち上げた配線Ｃ、或いは天板１から落とし込んだ配線Ｃを、内部に通過させて収容しておく機能を備えている。
【００２０】
天板補強部材３は、天板の中央部の下面１aに取り付けられているもので、下向きコ字形のチャネル材３２によって構成されている。すなわち、天板の下面1bに強固に固定される上壁３２bと、この上壁３２bから対面位置に垂れ下がる一対の起立壁３２aとを備えたもので、チャネル材３２の長手方向に沿ってその起立壁３２aの対応位置にオプション取付部３１を構成する貫通孔３１ａを所定ピッチで形成している。そして、貫通孔３１aにオプション部材の荷重を支持させ、若くは一対の貫通孔３１aに亘ってオプション部材の荷重を分散させて支持させ得るようにしている。
【００２１】
一方、テーブルＴに取り付けられるオプション部材として、この実施形態は、パーソナルコンピュータ取付用のＰＣハンガー４、配線受け具５、及びテーブルトップパネル６を予定している。
【００２２】
ＰＣハンガー４は、図３及び図４に示すように、パーソナルコンピュータＰＣが設置される設置台４１と、金属線材を折り曲げ形成されＵ字状をなすその下端部４２に前記設置台４１を溶接等により固定するとともにこの下端部４２から設置台４１と直交する方向に平行に延長させてなる２本の吊り下げ部４３と、これらの吊り下げ部４３の上端４３ａを支持する偏平な角パイプ部状の被取付部４４とを具備してなるもので、この被取付部４４の起立壁４４ａ間の外法寸法４４Ｗは前記天板補強部材３の起立壁３２ａ間の内法寸法３Ｗにほぼ対応させてある。また、その起立壁４４ａには天板補強部材３の貫通孔３１ａに対応する位置に貫通孔４４ｃが設けてあり、貫通孔４４ｃの内面側にナット４４ｅが固定してある。そして、上壁４４ｂ、起立壁４４ａ及び底壁４４ｄからなるロの字型の被取付部４４を天板補強部材３の上壁３２ｂと起立壁３２ａからなるチャネル材３２に嵌め込み、起立壁３２a,４４a同士を重合させて、両貫通孔３１ａ，４４ｃに外方からねじを通し、ナット４４ｅにねじ込むことによって、ＰＣハンガー４の天板補強部材３への取り付けを完了するようにしている。これにより、吊り下げ部４３は天板の下面１ｂから鉛直下方に吊り下げられ、設置台４１は水平に配置されて、この設置台４１にパーソナルコンピュータ本体PCを載置しておくことが可能になる。天板補強部材３の貫通孔３１ａの数はＰＣハンガー４側の貫通孔４４ｃの数よりも多く設定してあり、どの位置で貫通孔３１ａ，４４ｃ同士を合致させるかによって、ＰＣハンガー４の取付位置が天板補強部材３の長手方向に沿って調整可能とされている。
【００２３】
また図３、図５に示すように、配線受け具５は、金属線材をワイヤーフレーム状に継ぎ合わせて形成したもので、トレー面５１と、このトレー面５１の端部５１ａから逆Ｌ字状をなして延びる一対の吊り下げ部５２とを備えており、この吊り下げ部５２間の距離は天板補強部材３の貫通孔３１ａの数ピッチ分に対応している。この吊り下げ部５２の端部は本発明の貫通部５２ａに設定され、貫通部５２ａの先端５２ｂにはねじが切ってある。そして、この貫通部５２ａを天板補強部材３の両起立壁３２ａの貫通孔３１ａに貫通させ、貫通端のねじにナット５３を取り付けることによって抜け止めし、配線受け具５の天板補強部材３への取り付けを完了するようにしている。これにより、吊り下げ部５２は天板１の下面１ｂから鉛直下方に吊り下げられ、トレー面５１は水平に配置されて、このトレー面５１に配線余長分を収容しておくことが可能になる。前記貫通部５２ａを天板補強部材３のどの貫通孔３１ａに貫通させるかによって、配線受け具５の取付位置が天板補強部材３の長手方向に沿って調整可能とされている。
【００２４】
さらに図３，図６に示すように、テーブルトップパネル６は、テーブルトップパネル本体６aと支持部材７からなる。この支持部材７は、チャネル状の被取付部７１と、この被取付部７１の起立壁７１ａから垂直に延びる延長部７２と、この延長部７２の先端７２ａに直交して取り付けた板状のブラケット７３とを備えている。そして、この被取付部７１の上壁７１ｂと起立壁７１ａからなるチャネル部分を天板補強部材３の上壁３２ｂと起立壁３２ａからなるチャネル材３２に嵌め込み、起立壁３２ａ，７１ａ同士を重合させて、両貫通孔３１ａ，７１ｃに外方からねじを通し、ナット７１ｄにねじ込むことによって、支持部材７の天板補強部材３への取り付けを完了するようにしている。これにより、支持部材７は天板の下面１ｂに平行に延びて、ブラケット７３が天板の縁部１ｄよりも外方位置から垂直に立ち上がった位置に配置され、このブラケット７３にテーブルトップパネル６aを取り付けることが可能になる。この場合も、天板補強部材３の貫通孔３１ａの数は支持部材７の貫通孔７１ｃの数よりも多く設定してあり、どの位置で貫通孔３１ａ，７１ｃ同士を合致させるかによって、テーブルトップパネル６の取付位置が天板補強部材３の長手方向に沿って調整可能とされている。
【００２５】
なお、ＰＣハンガー４、配線受け具５、及びテーブルトップパネル６は、上記貫通孔３１ａに選択的に取り替えて取り付けることができるのは勿論のこと、空いている貫通孔３１ａを利用してそれぞれ同時に取り付けておくことも可能とされているものである。
【００２６】
以上のようにして、この実施形態のテーブルＴは、天板１を脚２に支持させてなるものであり、天板の下面１ｂに、脚２に依存しない態様で、オプション取付部３１を有する天板補強部材３を取り付けるようにしたものである。
【００２７】
このように、天板１の強度確保を必ずしも架材に依存するものではないため、脚２や架材の位置とは独立して無関係に、オプション取付用の貫通孔３１ａを有する天板補強部材３の天板１に対する適切な配置を決定することができる。したがって、天板１が別製になり、脚２の取付位置や組立方法が異なるものになっても、オプション取付構造を変更することが基本的に不要となり、天板１の形状や寸法なども、オプション部材であるPCハンガー４、配線受け具５，テーブルトップパネル６の取り付けに制約されることなく自由に行うことが可能になる。しかも、脚２が天板補強の役割から解放されるため、天板支持機能を発揮できる範囲内において、天板形状やオプション機能に応じて脚２に適切な取付態様を選択することが可能になる。
【００２８】
特に、脚２を天板１を介してのみ相互に連結し、脚２自体を相互に独立なものにしているので、脚２の配置上の自由度が従来に比べて格段に向上し、脚２のより適切な支持構造の追求が可能となっているものである。
【００２９】
また、天板補強部材３の取付位置を、天板の中央部の下面１ａに設定しているため、テーブルＴの使用辺側にＰＣハンガー４や配線受け具５を取り付ける場合や、テーブルＴの反使用辺側にデスクトップパネル６を取り付ける場合の何れにおいても、テーブルＴ各辺におけるオプション取付用の貫通孔３１ａを利用し易いものにすることができる。
【００３０】
具体的には、天板補強部材３が、上壁３２ｂから垂れ下がる一対の起立壁３２ａを対面させた下向きコ字形のチャネル材３２を含み、その起立壁３２ａの対応位置にオプション取付部３１を形成して、貫通孔３１aにオプション部材の荷重を支持させ、若くは一対の貫通孔３１aに亘ってオプション部材の荷重を分散させて支持させ得るようにしているため、起立壁３２ａの部材強度を利用して有効な支持強度を得ることができ、構造的にも簡素なものにすることができる。
【００３１】
この場合、オプション部材であるPCハンガー４、テーブルトップパネル６は、天板補強部材３のチャネル部材３２に嵌まり合うチャネル部分を有するコ字形または，ロの字型の被取付部４４、７１を含み、その被取付部４４，７１を形成する起立壁４４ａ，７１ａを天板補強部材３の起立壁３２ａに重合させて取り付けるようにしているため、ガタつきのない確実な取付状態を容易に実現することができる。
【００３２】
特に、この実施形態のオプション取付部３１は、起立壁３２ａに設けた貫通孔３１ａであり、オプション部材であるPCハンガー４、配線受け具５、テーブルトップパネル６がその貫通孔３１ａに合致する貫通孔４４ｃ，７１ｃ若しくはその貫通孔３１ａに通過される貫通部５２ａを備えたものであるため、構造簡素である上に、取付位置の選択や変更の自由度も確保しておくことができる。
【００３３】
とりわけ、この実施形態では、オプション取付用の上記貫通孔３１ａに、オプション部材であるＰＣハンガー４、配線受け具５、及びテーブルトップパネル６を選択的又は同時に取り付けることができるようにしているため、多彩な利用形態を可能にして、テーブルＴの使い勝手を好適に向上させることが可能となる。
【００３４】
なお、各部の具体的な構成は、上述した実施形態のみに限定されるものではなく、本発明の趣旨を逸脱しない範囲で種々変形が可能である。例えば、上記実施形態の天板補強部材３は、チャネル状のものであったが、天板の下面側に単体若しくは一対の起立壁を形成できれば、アングル状の部材を用いて構成することも勿論可能である。
【００３５】
【発明の効果】
本発明は、以上説明したような形態で実施され、以下に記載される効果を奏する。
【００３６】
すなわち、本発明の天板付き家具は、天板を複数の脚に支持させてなるものにおいて、天板の下面に、脚に依存しない態様で、オプション取付部を有する天板補強部材を取り付けてなり、天板補強部材が、上壁から垂れ下がる一対の起立壁を対面させた下向きコ字形のチャネル部分を含み、その起立壁の対応位置にオプション取付部を形成して、各オプション取付部にオプション部材の荷重を支持させ、若くは両オプション取付部に亘ってオプション部材の荷重を分散させて支持させ得るようにしているとともに、オプション部材が、天板補強部材のチャネル部分に嵌まり合うコ字形のチャネル部分を含み、そのチャネル部分を形成する起立壁を天板補強部材の起立壁に重合させて取り付けるようにしたものである。
【００３７】
このため、天板補強部材は天板に対して適正な補強効果を発揮できれば、天板形状等に依存することなく、オプション部材を一貫した態様の下に取り付けることができ、天板の設計の自由度やオプション部材の取付位置の自由度、さらには脚の配置の自由度も有効に高めることが可能になる。
【００３８】
したがって、天板の形態の如何に拘わらず、適正な支持状態と、適正なオプション取付状態とを好適に両立し得るものとなる。
【００３９】
さらに、天板補強部材を、上壁及び一対の起立壁を備えたチャネル部分を含むものにし、その起立壁の対応位置にオプション取付部を形成して、何れかの起立壁のオプション取付部に、または両起立壁のオプション取付部に、オプション部材の荷重を支持させ得るようにしているので、より高い支持強度が得られる上に、取付の態様にも柔軟性をもたせることが可能になる。
【００４０】
加えて、オプション部材に、天板補強部材のチャネル部分に嵌まり合うコ字形のチャネル部分を設けているので、起立壁同士を重合させて取り付けることで取付状態を一層確実なものにすることができる。
【００４１】
特に、脚を相互に連結することなく独立とした場合には、脚のより適切な支持構造の追求が可能となり、異形天板の支持等にも適したものとなる。
【００４２】
天板補強部材の取付位置を、天板の中央部の下面に設定した場合には、テーブル各辺からオプション取付部へのアクセスの均等化を図ることができ、オプション取付部を利用し易いものにすることができる。
【００４３】
オプション取付部を貫通孔とし、オプション部材側にその貫通孔に合致する貫通孔若しくはその貫通孔に通過される貫通部を設けておけば、取付のための構造や作業の簡素化を図ることができる。
【００４４】
オプション取付部に、種類の異なる複数のオプション部材を選択的に又は同時に取り付け得るようにした場合には、多彩な利用形態を可能にして、テーブルのＯＡ対応機能などを有効に高めることが可能となる。
【００４５】
なお、天板の補強が問題にならない場合には、天板補強部材に代えて何らかの部材を採用もしくは利用し、この部材を通じて上記に準じた構成を実現することで、同様の作用効果を得ることができる。
【図面の簡単な説明】
【図１】本発明の一実施形態に係るテーブルの前方斜視図。
【図２】同側方斜視図。
【図３】同実施例における下方分解斜視図。
【図４】同実施例におけるPCハンガー取付要部断面図。
【図５】同実施例における配線受け具取付要部断面図。
【図６】同実施例におけるテーブルトップパネル取付要部断面図。
【符号の説明】
１…天板
１a…中央部の下面
１ｂ…下面
２…脚
３…天板補強部材
４…オプション部材（PCハンガー）
５…オプション部材（配線受け具）
６…オプション部材（テーブルトップパネル）
３１…オプション取付部
３１a…貫通孔
３２…チャネル部分（チャネル材）
３２a…起立壁
３２ｂ…上壁
４４…チャネル部分（被取付部）
４４a…起立壁
４４ｃ…貫通孔
５２a…貫通部
７１…チャネル部分（被取付部）
７１a…起立壁
７１ｃ…貫通孔
Ｔ…天板付き家具（テーブル）
【図１】
0003771123.tif 000002
【図２】
0003771123.tif 000003
【図３】
0003771123.tif 000004
【図４】
0003771123.tif 000005
【図５】
0003771123.tif 000006
【図６】
0003771123.tif 000007